(57)【要約】      （修正有）【課題】デザイナーが店舗を構えて顧客に応対してデザインの内容を相談し検討し決定し、店舗内でデザインを制作し、顧客に受け渡すようにしたデザイナーズ店舗を提供する。【解決手段】デザイナーズ店舗１の表示と、デザイナーが依頼者と応対する顧客応対コーナー６と、デザイナーがデザインを制作するデザイン制作コーナー１１とからなるデザイナーズ店舗。【選択図】図１
0003175299.tif 000002
【実用新案登録請求の範囲】
【請求項１】
デザイナーズ店舗の表示と、デザイナーが依頼者と応対する顧客応対コーナーと、デザイナーがデザインを制作するデザイン制作コーナーとからなるデザイナーズ店舗。
【請求項２】
請求項１に記載のデザイナーズ店舗において、デザイナーの外注依頼コーナーを有するデザイナーズ店舗。
【請求項３】
請求項１又は２に記載のデザイナーズ店舗において、顧客応対コーナーが店舗の出入口付近に設けてあるデザイナーズ店舗。
【請求項４】
請求項１、２又は３に記載のデザイナーズ店舗において、デザイナーのアシスタントが仕事をするアシスタントコーナーを店舗内に有するデザイナーズ店舗。
【請求項５】
請求項１乃至４のいずれかに記載のデザイナーズ店舗において、デザイナーのデザインした商品又は商品見本を表示するディスプレイコーナーを店舗内に有するデザイナーズ店舗。
【考案の詳細な説明】
【技術分野】
【０００１】
本考案はデザイナーが仕事に使用するデザイナーズ店舗に関する。
【背景技術】
【０００２】
従来、デザイナーが店舗を構えて顧客に応対してデザインの内容を相談し検討し決定し、店舗内でデザインを制作し、顧客に受け渡すようにしたデザイナーズ店舗は存在しない。
【考案の概要】
【考案が解決しようとする課題】
【０００３】
人目に触れる全ての商品にはデザインが必要であるが、デザイナーが店舗を構えて営業していないため、一部の顧客を除いて一般の顧客はその存在を認識することができない。そのため、多くの顧客は誰にデザインを頼んで良いか分からない。結果として、一般の顧客にはデザイナーによる良質なデザインのサービスを受けることが難しい。
【課題を解決するための手段】
【０００４】
そこで、本考案は、請求項１に記載のように、デザイナーズ店舗の表示と、デザイナーが依頼者と応対する顧客応対コーナーと、デザイナーがデザインを制作するデザイン制作コーナーとからなるデザイナーズ店舗を提供するものである。
【０００５】
また、本考案は、請求項２に記載のように、 請求項１に記載のデザイナーズ店舗において、デザイナーの外注依頼コーナーを有するデザイナーズ店舗を提供するものである。
【０００６】
また、本考案は、請求項３に記載のように、請求項１又は２に記載のデザイナーズ店舗において、顧客応対コーナーが店舗の出入口付近に設けてあるデザイナーズ店舗を提供するものである。
【０００７】
また、本考案は、請求項４に記載のように、請求項１、２又は３に記載のデザイナーズ店舗において、デザイナーのアシスタントが仕事をするアシスタントコーナーを店舗内に有するデザイナーズ店舗を提供するものである。
【０００８】
また、本考案は、請求項５に記載の通り、請求項１乃至４のいずれかに記載のデザイナーズ店舗において、デザイナーのデザインした商品又は商品見本を表示するディスプレイコーナーを店舗内に有するデザイナーズ店舗を提供するものである。
【０００９】
なお、デザイナーズ店舗の表示には、ポスター、表示などの平面的な文字又は図からなる平面表示、電気的な電飾表示、人形、ぬいぐるみ、置物、看板などの立体表示を含み、その他に、声、音や音楽を発する物による表示を含むものとする。
【考案の効果】
【００１０】
本考案に係るデザイナーズ店舗によれば、請求項１に記載のように、デザイナーズ店舗の表示と、デザイナーが依頼者と応対する顧客応対コーナーと、デザイナーがデザインを制作するデザイン制作コーナーとを有するから、一般の通行人の顧客でも、その表示からデザイナーズ店舗の存在を容易に認識することができ、顧客応対コーナーにおいてあらゆる商品や所持物のデザインについて直接にデザイナーに相談でき、助言を受け検討し決定し、デザイナーは店舗内でデザインを制作して、顧客に受け渡すことができる効果がある。
【００１１】
また、本考案は、請求項２に記載のように、 請求項１に記載のデザイナーズ店舗において、デザイナーの外注依頼コーナーを有するから、他のデザイナーズ店舗を外注先として活用することができる効果がある。
【００１２】
また、本考案は、請求項３に記載のように、請求項１又は２に記載のデザイナーズ店舗において、顧客応対コーナーが店舗の出入口付近に設けてあるから、店舗内に入ってきた顧客に真っ先にデザイナーが応対をすることができる効果がある。
【００１３】
また、本考案は、請求項４に記載のように、請求項１、２又は３に記載のデザイナーズ店舗において、デザイナーのアシスタントが仕事をするアシスタントコーナーを店舗内に有するから、アシスタントを有効に活用することができる効果がある。
【００１４】
また、本考案は、請求項５に記載のように、請求項１乃至４のいずれかに記載のデザイナーズ店舗において、デザイナーのデザインした商品又は商品見本を表示するディスプレイコーナーを店舗内に有する構成であるから、顧客はデザイナーのデザインした商品を一見して興味を持つことができる効果がある。
【図面の簡単な説明】
【００１５】
【図１】本考案に係るデザイナーズ店舗の一実施例の概略平面図。
【考案を実施するための形態】
【００１６】
本考案に係るデザイナーズ店舗は、基本形態としてデザイナーズ店舗の表示と、デザイナーが依頼者と応対する顧客応対コーナーと、デザイナーがデザインを制作するデザイン制作コーナーとからなる。
【実施例１】
【００１７】
図１に記載の実施例のワンフロワーの店舗本体１において、入口２の付近の外壁３、看板、ドア等にデザイナーズ店舗であることを表示する表示が設けてあり、顧客を含めて外を通る人達に良く分かるような外観を有している。図示の実施例では、ガラス窓４等を透して外側から見えるように提供サービス説明ボード５が複数枚設けてある。入口２を入ると、店内には、デザイナーが依頼者と応対する顧客応対コーナー６として、複数脚の椅子７と打合せ・相談テーブル８が一側壁側に設けてある。
【００１８】
また、入口２に続く閲覧スペース９を介して向かい壁側にはディスプレイコーナー１０として商品ディスプレイ棚が設けてある。商品としては、デザイナーが提供することができるチラシ、カタログ、名刺、カレンダー、葉書、封筒、レター用紙、看板見本、張り紙などと、その商品見本などがある。これら展示商品は販売目的であったり、持ち帰り自由であっても良い。
【００１９】
店内奥一側には、デザイナーが顧客から依頼されたデザインを制作するデザイン制作コーナー１１が設けてある。図示の実施例の場合、デザイン制作コーナー１１には、テーブル１２，複数個の椅子１３，ノートパソコン１４，デザイン表示用のディスプレイ１５，レジスター１６などが備えてあり、必要に応じてアシスタント用のテーブル、椅子、ノートパソコンなどを設けてあっても良い。また、奥側の壁にはホワイトボード１７やデザイン表示ボード１８が設けてある。
【００２０】
また、デザイン制作コーナー１１は、デザイナーがデザインを制作するだけではなく、顧客に制作しようとする若しくは制作したパソコン１４上のデザインをディスプレイ１５上に表示して説明するコンサルティングコーナーを兼ねるものであっても良い。なお、パソコンによるディスプレイ１５は、商品を展示するディスプレイコーナー１０に設けることもできる。
【００２１】
店内奥の向かい側には、アシスタントコーナー２０が設けてあり、実施例の場合、カラーコピー機、ファクシミリ、スキャナー、動画又は静止画のデジタルカメラ、簡易印刷機などの作業用機器１９が設置してある。実施例の場合、アシスタントコーナー２０はデザイナーの外注依頼コーナーをも兼ねている。
【００２２】
作業用機器１９は、デザイン制作用に使用することができると共に、大量や複雑であったり特殊な印刷などの外注依頼に使用することができると共に、顧客からの仕事の受注に使用することも勿論可能である。また、アシスタントコーナー２０には、アシスタントが使用する通信機器、事務机、椅子などを設置することも勿論可能である。
【符号の説明】
【００２３】
１      店舗本体
２      入口
３      外壁
４      ガラス窓
５      提供サービス説明ボード
６      顧客応対コーナー
７      椅子
８      打合せ・相談テーブル
９      閲覧スペース
１０    ディスプレイコーナー
１１    デザイン制作コーナー
１２    テーブル
１３    椅子
１４    ノートパソコン
１５    ディスプレイ
１６    レジスター
１７    ホワイトボード
１８    デザイン表示ボード
１９    作業用機器
２０    アシスタントコーナー兼外注依頼コーナー
【図１】
0003175299.tif 000003
【手続補正書】
【提出日】平成24年2月28日(2012.2.28)
【手続補正１】
【補正対象書類名】実用新案登録請求の範囲
【補正対象項目名】全文
【補正方法】変更
【補正の内容】
【実用新案登録請求の範囲】
【請求項１】
デザイナー用店舗の外側部に設けた店舗の表示部と、デザイナーが依頼者と応対するため店舗内部の入口近傍に設けた顧客応対コーナー部と、デザイナーがデザインを制作するため店舗内部の前記顧客対応コーナー部の後方に設けたデザイン制作コーナー部とを備えたデザイナー用店舗の構造。
【請求項２】
請求項１に記載のデザイナー用店舗の構造において、店舗内部の前記顧客対応コーナー部の後方に外注依頼コーナー部を併設してなるデザイナー用店舗の構造。
【請求項３】
請求項１又は２に記載のデザイナー用店舗の構造において、店舗の入口が出口を兼ねる出入口として設けてあるデザイナー用店舗の構造。
【請求項４】
請求項１、２又は３に記載のデザイナー用店舗の構造において、デザイナーのアシスタントが仕事をするアシスタントコーナー部が店舗の内奥部に設けてあるデザイナー用店舗の構造。
【請求項５】
請求項１乃至４のいずれかに記載のデザイナー用店舗の構造において、デザイナーのデザインした商品又は商品見本を表示するディスプレイコーナー部を店舗内壁に沿って設けてあるデザイナー用店舗の構造。
【手続補正２】
【補正対象書類名】明細書
【補正対象項目名】全文
【補正方法】変更
【補正の内容】
【考案の詳細な説明】
【技術分野】
【０００１】  本考案はデザイナーが仕事に使用するデザイナーズ店舗、即ち、デザイナー用店舗の構造に関する。
【背景技術】
【０００２】  従来、デザイナーが店舗を構えて顧客に応対してデザインの内容を相談し検討し決定し、店舗内でデザインを制作し、顧客に受け渡すようにしたデザイナーズ店舗、即ち、デザイナー用店舗は存在しない。
【考案の概要】
【考案が解決しようとする課題】
【０００３】  人目に触れる全ての商品にはデザインが必要であるが、デザイナーが店舗を構えて営業していないため、一部の顧客を除いて一般の顧客はその存在を認識することができない。そのため、多くの顧客は誰にデザインを頼んで良いか分からない。結果として、一般の顧客にはデザイナーによる良質なデザインのサービスを受けることが難しい。また、同時にデザイナーにはその用途に適したデザイナーズ店舗、即ち、デザイナー用店舗の構造が必要である。
【課題を解決するための手段】
【０００４】  そこで、本考案は、請求項１に記載のように、デザイナー用店舗の外側部に設けた店舗の表示部と、デザイナーが依頼者と応対するため店舗内部の入口近傍に設けた顧客応対コーナー部と、デザイナーがデザインを制作するため店舗内部の前記顧客対応コーナー部の後方に設けたデザイン制作コーナー部とを備えたデザイナー用店舗の構造を提供するものである。【０００５】  また、本考案は、請求項２に記載のように、 請求項１に記載のデザイナー用店舗の構造において、店舗内部の前記顧客対応コーナー部の後方に外注依頼コーナー部を併設してなるデザイナー用店舗の構造を提供するものである。【０００６】  また、本考案は、請求項３に記載のように、請求項１又は２に記載のデザイナー用店舗の構造において、店舗の入口が出口を兼ねる出入口として設けてあるデザイナー用店舗の構造を提供するものである。【０００７】  また、本考案は、請求項４に記載のように、請求項１、２又は３に記載のデザイナー用店舗の構造において、デザイナーのアシスタントが仕事をするアシスタントコーナー部が店舗の内奥部に設けてあるデザイナー用店舗の構造を提供するものである。【０００８】  また、本考案は、請求項５に記載の通り、請求項１乃至４のいずれかに記載のデザイナー用店舗の構造において、デザイナーのデザインした商品又は商品見本を表示するディスプレイコーナー部を店舗内壁に沿って設けてあるデザイナー用店舗の構造を提供するものである。【０００９】  なお、デザイナー用店舗の表示部には、ポスター表示などの平面的な文字又は図からなる平面表示部、電気的な電飾表示部、人形、ぬいぐるみ、置物、看板などの立体表示部を含み、その他に、声、音や音楽を発する物による表示部を含むものとする。
【考案の効果】
【００１０】  本考案に係るデザイナー用店舗の構造によれば、請求項１に記載のように、デザイナー用店舗の外側部に設けた店舗の表示部と、デザイナーが依頼者と応対するため店舗内部の入口近傍に設けた顧客応対コーナー部と、デザイナーがデザインを制作するため店舗内部の前記顧客対応コーナー部の後方に設けたデザイン制作コーナー部とを備えた構成を有するから、一般の通行人の顧客でも、その表示部からデザイナー用店舗の存在を容易に認識することができ、顧客応対コーナー部においてあらゆる商品や所持物のデザインについて直接にデザイナーに相談でき、助言を受け検討し決定し、また、デザイナーは店舗内でデザインを制作して、顧客に受け渡すことができる効果がある。【００１１】  また、本考案は、請求項２に記載のように、 請求項１に記載のデザイナー用店舗の構造において、店舗内部の前記顧客対応コーナー部の後方に外注依頼コーナー部を併設してなるデザイナー用店舗の構造を有するから、前記顧客対応コーナー部の後方において他のデザイナー用店舗と連絡をとることができ外注先として活用することができる効果がある。【００１２】  また、本考案は、請求項３に記載のように、請求項１又は２に記載のデザイナー用店舗の構造において、店舗の入口が出口を兼ねる出入口として設けてあるから、店舗内に入ってきた顧客に真っ先にデザイナーが応対をすることができる効果がある。【００１３】  また、本考案は、請求項４に記載のように、請求項１、２又は３に記載のデザイナー用店舗において、デザイナーのアシスタントが仕事をするアシスタントコーナー部を店舗内に有するから、アシスタントを有効に活用することができる効果がある。【００１４】  また、本考案は、請求項５に記載のように、請求項１乃至４のいずれかに記載のデザイナー用店舗の構造において、デザイナーのデザインした商品又は商品見本を表示するディスプレイコーナー部を店舗内壁に沿って設けてあるデザイナー用店舗の構造であるから、顧客はデザイナーのデザインした商品を一見して興味を持つことができる効果がある。
【図面の簡単な説明】
【００１５】
【図１】本考案に係るデザイナー用店舗の構造の一実施例の概略平面図。
【考案を実施するための形態】
【００１６】  本考案に係るデザイナー用店舗は、基本形態としてデザイナー用店舗の表示部と、デザイナーが依頼者と応対する顧客応対コーナー部と、デザイナーがデザインを制作するデザイン制作コーナー部とからなる。
【実施例１】
【００１７】  図１に記載の実施例のワンフロワーの店舗本体１において、入口２の付近の外壁３に、看板、ドア等にデザイナー用店舗であることを表示する表示部が設けてあり、顧客を含めて外を通る人達に良く分かるような外観を有している。図示の実施例では、ガラス窓４等を透して外側から見えるように提供サービス説明ボード５が複数枚設けてある。入口２を入ると、店内には、デザイナーが依頼者と応対する顧客応対コーナー部６として、複数脚の椅子７と打合せ・相談テーブル８が一側壁側に設けてある。なお、図示のように、入口２が出口を兼ねる出入口として設けてある【００１８】  また、入口２に続く閲覧スペース９を介して向かい壁側にはディスプレイコーナー部１０として商品ディスプレイ棚が設けてある。商品としては、デザイナーが提供することができるチラシ、カタログ、名刺、カレンダー、葉書、封筒、レター用紙、看板見本、張り紙などと、その商品見本などがある。これら展示商品は販売目的であったり、持ち帰り自由であっても良い。【００１９】  店内奥一側には、デザイナーが顧客から依頼されたデザインを制作するデザイン制作コーナー部１１が設けてある。図示の実施例の場合、デザイン制作コーナー部１１には、テーブル１２，複数個の椅子１３，ノートパソコン１４，デザイン表示用のディスプレイ１５，レジスター１６などが備えてあり、必要に応じてアシスタント用のテーブル、椅子、ノートパソコンなどを設けてあっても良い。また、奥側の壁にはホワイトボード１７やデザイン表示ボード１８が設けてある。【００２０】  また、デザイン制作コーナー部１１は、デザイナーがデザインを制作するだけではなく、顧客に制作しようとする若しくは制作したパソコン１４上のデザインをディスプレイ１５上に表示して説明するコンサルティングコーナー部を兼ねるものであっても良い。なお、パソコンによるディスプレイ１５は、商品を展示するディスプレイコーナー部１０に設けることもできる。【００２１】  店内奥の向かい側には、アシスタントコーナー部２０が設けてあり、実施例の場合、カラーコピー機、ファクシミリ、スキャナー、動画又は静止画のデジタルカメラ、簡易印刷機などの作業用機器１９が設置してある。実施例の場合、アシスタントコーナー部２０はデザイナーの外注依頼コーナー部をも兼ねている。【００２２】  作業用機器１９は、デザイン制作用に使用することができると共に、大量や複雑であったり特殊な印刷などの外注依頼に使用することができると共に、顧客からの仕事の受注に使用することも勿論可能である。また、店舗の内奥部に設けたアシスタントコーナー部２０には、アシスタントが使用する通信機器、事務机、椅子などを設置することも勿論可能である。
【符号の説明】
【００２３】１      店舗本体２      入口３      外壁４      ガラス窓５      提供サービス説明ボード６      顧客応対コーナー部７       椅子８      打合せ・相談テーブル９      閲覧スペース１０     ディスプレイコーナー部１１    デザイン制作コーナー部１２     テーブル１３    椅子１４    ノートパソコン１５    ディスプレイ１６    レジスター１７    ホワイトボード１８    デザイン表示ボード１９    作業用機器２０    アシスタントコーナー部兼外注依頼コーナー部